(57)【特許請求の範囲】
【請求項１】
電子体温計であって、
電源をＯＮ／ＯＦＦするための電源スイッチと、
音声出力手段、振動手段および表示手段を含み、前記音声出力手段、前記振動手段および前記表示手段の少なくとも１つによって体温測定の終了を報知する報知手段と、
乳幼児、一般者、高齢者を含む複数の使用者特性の各々について、前記音声出力手段、前記振動手段および前記表示手段のそれぞれの設定値の組み合わせをプリセットとして記憶するプリセット記憶手段と、
前記電源スイッチが押下されることによって前記電源がＯＮされた後の前記電源スイッチの状態を検知する検知手段と、
前記検知手段によって、前記電源スイッチが押下状態であることが検知された場合に、前記プリセット記憶手段によって記憶された複数のプリセットの１つを前記電源スイッチの押下状態の継続時間に応じて順に選択しながら、選択したプリセットに従って前記報知手段による試験的な報知を実行する実行手段と、
前記検知手段が前記電源スイッチの押下状態が解除されたことを検知した場合、その時点での前記試験的な報知に使用しているプリセットを、前記報知手段の報知内容の設定値として確定する確定手段と
を備えることを特徴とする電子体温計。
【請求項２】
前記乳幼児のためのプリセットは、前記音声出力手段が音声を出力せず、前記振動手段が振動を発生しない設定値を含み、
前記高齢者のためのプリセットは、前記音声出力手段が出力する音声を前記一般者のためのプリセットよりも低周波かつ大音量とする設定値を含む、
ことを特徴とする請求項１に記載の電子体温計。
【請求項３】
前記音声出力手段に関する設定値は、音量、音声の長さ、音声の周波数、及びメロディ音の少なくとも１つに関する設定値を含み、
前記振動手段に関する設定値は、振動の長さ、振動の強度、振動の周波数、振動パターンの少なくとも１つに関する設定値を含み、
前記表示手段に関する設定値は、表示部位、表示時間、表示輝度、表示色、及び表示パターンを少なくとも１つに関する設定値を含む
ことを特徴とする請求項１又は２に記載の電子体温計。
【請求項４】
電源をＯＮ／ＯＦＦするための電源スイッチを備える電子体温計の制御方法であって、
前記電源スイッチが押下されることによって前記電源がＯＮされた後の前記電源スイッチの状態を検知する検知工程と、
前記検知工程において前記電源スイッチが押下状態であることが検知された場合に、前記電子体温計による体温測定の終了を報知する報知部の報知内容として予め記憶された複数のプリセットの１つを前記電源スイッチの押下状態の継続時間に応じて順に選択しながら、選択したプリセットに従って該報知部による試験的な報知を実行する実行工程と、
前記検知工程が前記電源スイッチの押下状態が解除されたことを検知した場合、その時点での前記試験的な報知に使用しているプリセットを、前記報知部の報知内容の設定値として確定する確定工程と、を含み、
前記複数のプリセットは、乳幼児、一般者、高齢者を含む複数の使用者特性のそれぞれに対して予め記憶されており、各プリセットは、前記報知内容を示す複数の設定値の組み合わせを含む、
ことを特徴とする電子体温計の制御方法。
【請求項５】
前記乳幼児のためのプリセットは、音声を出力せず、振動を発生しないことを設定する設定値を含み、
前記高齢者のためのプリセットは、前記一般者のためのプリセットよりも低周波かつ大音量の音声を出力することを設定する設定値を含む、
ことを特徴とする請求項４に記載の電子体温計の制御方法。
【発明の詳細な説明】
【技術分野】
【０００１】
本発明は、電子体温計及びその制御方法に関するものである。
【背景技術】
【０００２】
電子体温計の体温測定終了時には、そのことを示す報知機能を有するものがある。
【０００３】
例えば、特許文献１では、報知機能としてブザーによって音を鳴動させる通常モードと、音を鳴動させない消音モードと、用途や目的に応じて切り替える構成が開示されている。
【先行技術文献】
【特許文献】
【０００４】
【特許文献１】特開２００７−２４５９１号公報
【発明の概要】
【発明が解決しようとする課題】
【０００５】
報知機能は、ブザー音、メロディ音、バックライト、振動等を用いるものがあるが、その初期設定値が必ずしも、すべての使用者にとって最適なものとは限らない。例えば、使用者の嗜好や周囲の状況によっては、以下のような傾向がある。
【０００６】
・高齢者では、低い周波数（２．５ｋHz以下）で音圧が大きい方が聞きやすい。
【０００７】
・周囲の雑音により、ブザー音が聞き取りづらい場合、振動の方がいい。
【０００８】
・複数人が同時に検温を始めた場合、メロディが異なった方が、わかりやすい。
【０００９】
・腋の肉付き、服の着込み方によって、聞きやすいブザー鳴動周波数が変化する（例えば、高い周波数は、腋に挟んだときに減衰が大きい）。
【００１０】
但し、音圧を高くしたり、鳴動時間を長くしたりして消費電流が増加すると、電池寿命が短くなる。そのため、初期設定値で、音圧を高くしたり、鳴動時間を長くすることは、電池寿命を重視する使用者にとっては、不都合となる。
【００１１】
そこで、電池寿命を損なうことなく、また、コストをかけることなく、使用状況や使用環境に応じて適切な報知を行うことができる報知機能が望まれている。
【００１２】
本発明は上記課題に鑑みてなされたものであり、電池寿命を損なうことなく、また、コストをかけることなく、使用者の嗜好や周囲の状況に応じて適切に体温測定終了を報知することができる電子体温計及びその制御方法を提供することを目的とする。
【課題を解決するための手段】
【００１３】
本発明の１つの側面は、電子体温計に係り、前記電子体温計は、電源をＯＮ／ＯＦＦするための電源スイッチと、音声出力手段、振動手段および表示手段を含み、前記音声出力手段、前記振動手段および前記表示手段の少なくとも１つによって体温測定の終了を報知する報知手段と、乳幼児、一般者、高齢者を含む複数の使用者特性の各々について、前記音声出力手段、前記振動手段および前記表示手段のそれぞれの設定値の組み合わせをプリセットとして記憶するプリセット記憶手段と、前記電源スイッチが押下されることによって前記電源がＯＮされた後の前記電源スイッチの状態を検知する検知手段と、前記検知手段によって、前記電源スイッチが押下状態であることが検知された場合に、前記プリセット記憶手段によって記憶された複数のプリセットの１つを前記電源スイッチの押下状態の継続時間に応じて順に選択しながら、選択したプリセットに従って前記報知手段による試験的な報知を実行する実行手段と、前記検知手段が前記電源スイッチの押下状態が解除されたことを検知した場合、その時点での前記試験的な報知に使用しているプリセットを、前記報知手段の報知内容の設定値として確定する確定手段とを備える。
【発明の効果】
【００１４】
本発明によれば、電池寿命を損なうことなく、また、コストをかけることなく、使用者の嗜好や周囲の状況に応じて適切に体温測定終了を報知することができる。
【図面の簡単な説明】
【００１５】
【図１】本実施形態の電子体温計の外観を示す図である。
【図２】本実施形態の電子体温計の機能構成を示す内部ブロック図である。
【図３】本実施形態の電子体温計における報知設定モードによる設定処理を示すフローチャートである。
【図４】本実施形態の電子体温計の表示部の表示例を示す図である。
【図５】本実施形態の電子体温計の表示部の表示例を示す図である。
【図６】本実施形態の電子体温計における報知設定モードによる設定処理の応用例を示すフローチャートである。
【図７】本実施形態の電子体温計の表示部の表示例を示す図である。
【図８】本実施形態の電子体温計の表示部の表示例を示す図である。
【発明を実施するための形態】
【００１６】
以下、必要に応じて添付図面を参照しながら本発明の実施形態を詳細に説明する。尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られたものではない。
【００１７】
＜＜実施形態１＞＞
＜１．電子体温計の外観構成＞
図１は本実施形態の電子体温計１００の外観構成を示し、特に、図１（ａ）は平面図、図１（ｂ）は側面図をそれぞれ示している。
【００１８】
電子体温計１００において、１０１は本体ケースで、後述する演算制御部２２０（図２）等の電子回路、電池（電源部）２５０等が収納される。
【００１９】
１０２は、ステンレス製の金属キャップからなるエンドキャップであり、内部には温度を計測するためのサーミスタ（詳細は後述）等の温度計測部品が収納される。１０３は電源スイッチであり、１回押圧すると電源部がＯＮとなり、再度押圧すると電源部がＯＦＦとなる。また、電源投入時に電源スイッチ１０３を一定時間（例えば、３秒）以上、押し続けた（長押しした）場合には、後述する体温測定終了を報知する報知部の設定を行う報知設定モードに移行する。１０４は表示部であり、被検者の体温を表示する。１０５は音声出力部であり、演算制御部２２０における処理に基づいて、音声を出力する。
【００２０】
＜２．電子体温計の機能構成＞
図２は本実施形態の電子体温計１００の機能構成を示す内部ブロック図である。
【００２１】
本実施形態の電子体温計１００は、その動作モードとして、被検者の体温を計測する通常の体温測定モードに加えて、電子体温計１００の報知部を設定する報知設定モードを有する。この報知設定モードは、体温測定終了の報知内容において複数種類のレベル（又はパターン）の設定を行うモードである。ここで、報知内容の設定としては、例えば、
１：音圧／音量の変更（大、中、小、無音）
２：音の周波数の変更（例えば、１ｋＨｚ、２ｋＨｚ、３ｋＨｚ、４ｋＨｚ等）
３：メロディ音（メロディパターン）の変更
４：音の継続鳴動時間／鳴動間隔の変更（例えば、３秒、６秒、１０秒等）
５：振動の長さ／強度／振動パターンの変更（例えば、３秒、６秒、１０秒等）
６：表示部での表示部位／時間／輝度／色／表示パターンの変更（点灯／非点灯／点滅／反転、コントラスト等）
がある。もちろん、報知内容の設定は、一例であり、１〜６の各項目を個別に設定したり、任意の組み合わせで設定することも可能である。
【００２２】
電子体温計１００は、温度に対応した時間分のＯＮ信号を出力する温度計測部２１０と、温度計測部２１０より出力されたＯＮ信号に基づいて各種処理を行い、被検者の体温を演算すると共に電子体温計１００全体の動作を制御する演算制御部２２０とを備える。更に、電子体温計１００は、演算された被検者の体温を表示する表示部１０４と、音声データを出力する音声出力部１０５と、電源部２５０、及び振動を発生する振動部２６０とを備える。
【００２３】
尚、表示部１０４は、例えば、体温等の計測情報を表示するための液晶表示部で構成される。また、この表示部１０４では、計測情報に加えて、電子体温計１００のステータス情報（例えば、低消費電流モード、体温測定モード等）を表示することが可能である。更に、表示部１０４には、バックライト用のＬＥＤ１１４が設けられていて、表示制御部２２７の制御によってＬＥＤ１１４は点灯／非点灯、点滅する。
【００２４】
温度計測部２１０は、エンドキャップ１０２の内部に配置された、互いに並列に接続されたサーミスタ（測定用抵抗素子）及び基準抵抗素子と、単一入力積分型Ａ／Ｄ変換回路とを備える。そして、温度計測部２１０は、温度に対応した時間分のＯＮ信号（温度に対応して、ＯＮ時間が変わるディジタル信号）を出力する。尚、本実施形態では、温度計測部２１０の温度測定方式に積分方式を採用しているが、これに限定されるものではなく、他の方式、例えば、ＣＲ発振回路を利用するＣＲ発振方式を用いても良い。
【００２５】
演算制御部２２０は、温度計測部２１０より出力されるディジタル信号のＯＮ時間を計測するタイマー２２２を備える。また、タイマー２２２では、電源部２５０がＯＮされてからの時間や、電源スイッチ１０３が長押しされていると判定される場合にその長押しの継続時間も計測することも可能である。このように、演算制御部２２０は、所定の条件に応じて、タイマー２２２のＯＮ／ＯＦＦ、リセットを制御することが可能である。そのため、演算制御部２２０は、所定の条件として、タイマー２２２の計測時間に基づいて、上述の体温測定モードと報知設定モードとを切り替えることが可能となる。
【００２６】
また、演算制御部２２０は、ＲＯＭ２２４、ＥＥＰＲＯＭ２２５及びＲＡＭ２２６を備える。ＲＯＭ２２４は、タイマー２２２により計測された時間に基づいて温度データを算出するとともに、算出された温度データの時間変化に基づいて、被検者の体温を予測演算するプログラムを記憶している。ＲＡＭ２２６は、算出された温度データを時系列で記憶する。ＥＥＰＲＯＭ２２５は、所定の音声データを記憶する。また、ＥＥＰＲＯＭ２２５には、電子体温計１００の報知部として設定できる各種設定値を記憶している。この設定値には、指定された音量／メロディで音を音声出力部１０５で出力するための音声データがある。更には、指定された振動量／振動時間で振動部２６０を振動させるための振動パターンデータや、指定された点灯時間／輝度で表示部１０４を表示するための表示制御データ等がある。
【００２７】
また、演算制御部２２０は、ＲＯＭ２２４に格納されたプログラムに従った演算や音声データ、振動パターンデータ、表示制御データの出力を行う演算処理部２２３を備える。また、演算制御部２２０は、演算処理部２２３における演算結果を表示する表示部１０４を制御するための表示制御部２２７を備える。更に、演算制御部２２０は、タイマー２２２、表示制御部２２７、演算処理部２２３、温度計測部２１０及び振動部２６０を制御する制御回路２２１を備える。
【００２８】
振動部２６０は、ＥＥＰＲＯＭ２２５に格納されている振動パターンデータが示す振動パターンと強度で振動を発生する。
【００２９】
そして、電子体温計１００が被検者の計測部位に装着されたことが判定されると、電子体温計１００では、所定の周期（サンプリングレート）で温度計測を開始し、取得された温度データの時間変化に基づいて、被検者の体温を予測演算する。
【００３０】
＜３．電子体温計における報知設定モードによる設定処理＞
本実施形態の電子体温計における報知設定モードによる設定処理について説明する。
【００３１】
ここでは、特に、報知設定の内容として、例えば、圧電素子を用いたブザー音の音量を設定する場合を例に挙げて説明する。
【００３２】
尚、本実施形態の体温計測モードでは、例えば、平衡温予測式の電子体温計１００の体温計測処理とするが、本発明はこれに限定されず、実測式の電子体温計、予測／実測式の電子体温計にも適用可能である。
【００３３】
図３は電子体温計における報知設定モードによる設定処理を示すフローチャートである。本実施形態では、複数段階（例えば、３段階の「小」、「中」、「大」）の音量（複数種類の最下位から最上位のレベルの音量）を用意しておく。そして、本実施形態では、電源スイッチ１０３の押下後の押下継続時間を監視する。そして、その押下継続時間に応じて、音量を段階的に切り替えて報知し、押下状態が解除されることをトリガーに、その時点で報知していた音量を使用者が意図する報知内容として設定する。
【００３４】
以下、その具体的な処理内容について説明する。
【００３５】
ステップＳ３０１で、電子体温計１００の電源スイッチ１０３を押すことにより、電源がＯＮになると、サーミスタによる温度計測（体温測定モード）の準備状態に入る。ここで、演算処理部２２３では、例えば、体温計測用のサンプリングレートとして、所定間隔、例えば、０．５秒おきに温度データの演算が行われる。また、この状態では、表示部１０４には、前回の報知内容（音量）の設定値と、その設定値に従う音量が表示される。また、音声出力部１０５からは、その音量による音が出力される。
【００３６】
ステップＳ３０２で、電源スイッチ１０３の押下継続時間の計算を開始するための変数である押下継続時間Ｔに０（Ｔ＝０）を設定し、また、一定期間単位での押下継続時間を監視するための所定の閾値ｔにｒ（ｔ＝ｒ）を設定する。これにより、例えば、ｒが３秒であるとすると、押下継続時間を３秒単位でその経過を判定することができる。
【００３７】
ステップＳ３０３で、押下された電源スイッチ１０３の状態を検知する。ここで、電源スイッチ１０３の状態とは、電源スイッチ１０３の押下が継続されたままの状態（押下継続状態）である。
【００３８】
電源スイッチ１０３が押下状態であると判定された場合（ステップＳ３０４でＹＥＳ）、ステップＳ３０５に進む。そして、ステップＳ３０５で、押下継続時間Ｔが閾値ｔ（＝ｒ）以上であるか否かを判定する。押下継続時間Ｔが閾値ｔ（＝ｒ）未満であると判定された場合（ステップＳ３０５でＮＯ）、ステップＳ３０４に戻る。一方、押下継続時間Ｔが閾値ｔ（＝ｒ）以上であると判定された場合（ステップＳ３０５でＹＥＳ）、ステップＳ３０６に進む。
【００３９】
ステップＳ３０６で、現在設定されている音量の次の段階（レベル）の音量があるか否かを判定する。次の段階（レベル）の音量があると判定された場合（ステップＳ３０６でＹＥＳ）、ステップＳ３０７に進み、次の段階の音量の音を音声出力部１０５から出力する。一方、次の段階（レベル）の音量がない（つまり、最上位のレベルの音量である）と判定された場合（ステップＳ３０６でＮＯ）、ステップＳ３０８に進み、初期段階（初期レベル）の音量の音を音声出力部１０５から出力する。このように、指定されたレベルの音量による試験的な報知（音出力）を行うことができる。
【００４０】
ステップＳ３０７あるいはステップＳ３０８の処理後、ステップＳ３０９で、閾値ｔにｔ＝ｔ＋ｒを設定し、その後、ステップＳ３０４に戻る。
【００４１】
そして、ステップＳ３０４で、押下状態でないと判定された場合（ステップＳ３０４でＮＯ）、ステップＳ３１０に進み、押下が解除された時点での音量を報知内容の設定値として確定する。その後、ステップＳ３１１で、通常の体温測定モードに移行する。
【００４２】
以上の処理により、閾値ｔが例えば「３秒」であるとすると、電源がＯＮされてから３秒単位で、押下状態とその押下継続時間を監視して、その押下状態が解除された時点での段階の音量を自動的に、報知内容の設定値として設定することができるので使用者は余裕をもって、慌てることなく設定できる。
【００４３】
例えば、前回設定値が「音量小」である状態で、電源がＯＮされてから３秒以上６秒未満で押下状態が解除された場合には、「音量中」が設定されることになる。また、６秒以上９秒未満で押下状態が解除された場合には、「音量大」が設定されることになる。更には、９秒以上１２秒未満で押下状態が解除された場合には、この場合、段階は、大中小の３段階であるので、「音量大」から「音量小」に戻り「音量小」が設定されることになる。
【００４４】
このように、押下継続時間に応じて、設定値の候補となる段階の音量（小→中→大）が周期的（ループ）に出力される。
【００４５】
＜４．設定処理における表示例＞
図４は設定処理の処理に応じて表示される表示部１０４の表示例と音声出力部１０５からの音の出力例を示す図である。図４（ａ）は電源がＯＮされた直後の表示部１０４の表示状態であり、図４（ｂ）は報知設定モードの状態での、表示部１０４における表示画像と出力音の遷移の一例を示している。
【００４６】
図４（ａ）に示されるように、表示部１０４には、直前の検温値を示す数値画像１０４ａと、現在の電子体温計の動作モードを示すアイコン画像１０４ｂと、現在設定されている報知内容の設定値を示すアイコン画像１０４ｃが表示される。図４（ａ）では、電源がＯＮされた直後は、体温測定モードの準備に入るので、それを示すアイコン画像１０４ｂ（図中では、Ｍの反転画像）が表示されている。また、報知内容が音量であるので、その音量の段階を示す縦長の矩形画像の指標が、その段階数に応じて構成されるアイコン画像１０４ｃとして表示されている。本例の場合、アイコン画像１０４ｃとして、縦長の矩形画像が３つ表示されているので、現在の報知内容の設定値は一番大きな音量である「音量大」に設定されていることを示している。
【００４７】
この状態で、報知設定モードに移行すると、体温測定モードの準備を示すアイコン画像１０４ｂが消去される。これにより、使用者は、電子体温計１００が報知設定モードに移行したことを把握することができる。もちろん、アイコン画像１０４ｂを消去するのではなく、報知設定モードであることを示す別のアイコン画像に置き換えるようにしても良い。
【００４８】
報知設定モードでは、電源スイッチ１０３の押下継続時間に応じて、段階的に音声出力部１０５から出力する音量が大きくなり、それに応じて、表示部１０４のアイコン画像１０４ｃの表示内容もその音量を示す画像に変化する（図４（ｂ））。上述の例では、音量は、「音量小」、「音量中」、「音量大」の３種類が存在するので、現在設定されている設定値（前回設定値）が示す音量の次の段階の音量で順次、音が出力されるとともに、アイコン画像１０４ｃの表示内容が切り替わる。また、最大の音量である「音量大」までに達すると、「音量小」に戻り、以下同様に、「音量小」、「音量中」、「音量大」の切替を電源スイッチ１０３が押下されている限り周期的に繰り返し実行する。
【００４９】
尚、図４では、報知内容の出力として、音声出力と画像表示の両方を使用する構成としているが、少なくとも一方を使用して、報知内容の出力を行うようにしても良い。また、確定した報知内容の設定値（図４の場合は、音量）は、ＲＡＭ２２６に記憶される。そして、体温測定モードの移行後、検温が成立した場合には、ＲＡＭ２２６に記憶された設定値に従って、音出力を少なくとも行い、必要に応じて、対応するアイコン画像１０４ｃを出力しても良い。
【００５０】
以上説明したように、本実施形態によれば、使用者の聴覚と視覚に訴える出力（音出力及び画像出力）制御を行うことで、使用者は、余裕をもって、慌てることなく容易に自身が意図するレベルの報知内容の設定値を選択することができ、その選択に応じて設定値が自動的に確定する。従って、使用者は、煩雑な操作をすることなく、容易に、自身の嗜好や使用環境に即した報知設定を行うことができる。
【００５１】
＜＜実施形態２＞＞
実施形態１では、報知設定モードとして、複数種類のレベルの音量から所望のレベルの音量を設定する場合を例に挙げて説明しているが、これに限定されない。例えば、ＥＥＰＲＯＭ２２５に複数種類のメロディパターン（例えば、メロディ１〜３）を記憶しておき、電源スイッチ１０３の押下継続時間に応じて、これらのメロディを段階的に出力するようにしても良い。この場合の表示例を、図５に示す。
【００５２】
図５（ａ）では、図４（ａ）の画像１０４ｃに対して、画像１０４ｃの内容が、メロディ１であることを示すメロディ番号の文字画像「ｎｏ．１」になっている。
【００５３】
また、報知設定モードに移行すると、図５（ｂ）に示されるように、電源スイッチ１０３の押下継続時間に応じて、メロディＩＣ（不図示）に記憶された３つのメロディ「ピッ（メロディ１）」、「ピッピッ（メロディ２）」、「ピッピッピッ（メロディ３）」が順次、音声出力部１０５から出力される。そして、それに応じて、表示部１０４には、該当するメロディに対応するメロディ番号（ｎｏ．１、ｎｏ．２、ｎｏ．３）が切り替えて表示される。そして、最後のメロディ番号である「ｎｏ．３」までに達すると、「ｎｏ．１」に戻り、以下同様に、「ｎｏ．１」、「ｎｏ．２」、「ｎｏ．３」の切替を電源スイッチ１０３が押下されている限り周期的に繰り返す。
【００５４】
尚、本実施形態における設定処理は、実施形態１の図３の設定処理における設定対象の「音量」を「メロディ」に置き換えることで実現することができる。
【００５５】
また、これ以外にも、上述のように、音の周波数や、音の鳴動時間、振動の長さ、表示の点灯／非点灯／点滅等を報知内容として設定することができる。そして、その設定された設定値に応じて、演算制御部２２０は、音声出力部１０５、表示制御部２２７（またはＬＥＤ１１４）及び振動部２６０の動作を制御する。
【００５６】
＜実施形態３＞
実施形態１や２で説明する報知設定モードでは、１種類の報知内容の設定（例えば、音量のレベル）を設定する構成としているが、これに限定されない。応用例として、使用者に対して視覚的、聴覚的、触覚的に報知できる電子体温計１００の機能群に対する複数の設定メニューを用意しておき、その設定メニューから選択された設定メニューに対応する報知内容の設定を行えるようにしても良い。
【００５７】
この複数種類の設定メニュー（音量、周波数、振動等）の選択は、図３の設定処理を一部拡張し、また、変更することで実現する。
【００５８】
具体的には、電子体温計１００の電源スイッチ１０３が押下された後（電源がＯＮされてから）の押下継続時間が所定時間経過した場合には、複数種類の設定メニューを一定時間毎に切り替えて周期的に表示するようにする。そして、いずれかの設定メニューが表示されている状態で、一旦、電源スイッチ１０３の押下を解除することで、その時点で表示されている設定メニューによる報知設定モードに移行することを確定する。
【００５９】
これにより、ユーザは、複数種類の設定メニューから任意の設定メニューを選択して、その設定メニューに対応する報知内容の設定を行うことが可能となる。
【００６０】
以下、本実施形態の図３の設定処理を拡張した設定処理について、図６のフローチャートを用いて説明する。
【００６１】
ステップＳ６０１で、電子体温計１００の電源スイッチ１０３を押すことにより、電源がＯＮになると、サーミスタによる温度計測（体温測定モード）の準備状態に入る。ここで、演算処理部２２３では、例えば、体温計測用のサンプリングレートとして、所定間隔、例えば、０．５秒おきに温度データの演算が行われる。また、この状態では、表示部１０４には、前回の報知内容（音量）の設定値と、その設定値に従う音量が表示される。また、音声出力部１０５からは、設定メニューへ移行するための音声案内が出力される。
【００６２】
ステップＳ６０２で、電源ボタンの押下継続時間の計算を開始するための変数である押下継続時間Ｔに０（Ｔ＝０）を設定し、また、一定期間単位での押下継続時間を監視するための閾値ｓにｖ（ｓ＝ｖ）を設定する。これにより、例えば、ｖが３秒であるとすると、押下継続時間を３秒単位でその経過を判定することができる。
【００６３】
ステップＳ６０３で、押下された電源スイッチ１０３の状態を検知する。ここで、電源スイッチ１０３の状態とは、電源スイッチ１０３の押下が継続されたままの状態（押下継続状態）である。
【００６４】
電源スイッチ１０３が押下状態であると判定された場合（ステップＳ６０４でＹＥＳ）、ステップＳ６０５に進む。そして、ステップＳ６０５で、押下継続時間Ｔが閾値ｓ（＝ｖ）以上であるか否かを判定する。押下継続時間Ｔが閾値ｓ（＝ｖ）未満であると判定された場合（ステップＳ６０５でＮＯ）、ステップＳ６０４に戻る。一方、押下継続時間Ｔが閾値ｓ（＝ｖ）以上であると判定された場合（ステップＳ６０５でＹＥＳ）、ステップＳ６０６に進む。
【００６５】
ステップＳ６０６で、現在表示されている設定メニューの次の設定メニューがあるか否かを判定する。次の設定メニューがあると判定された場合（ステップＳ６０６でＹＥＳ）、ステップＳ６０７に進み、次の設定メニューを示すメニュー名を表示部１０４に表示する。この際、メニュー名を表示するとともに、音声合成ＩＣ（不図示）に記憶された設定メニューの内容を説明する音声案内を音声出力部１０５から出力しても良い。一方、次の設定メニューがないと判定された場合（ステップＳ６０６でＮＯ）、ステップＳ６０８に進み、先頭の設定メニューを示すメニュー名を表示部１０４に表示する。ここで、先頭の設定メニューとは、複数種類の設定メニューには順番がつけられていて、その順番の最後の設定メニューを前回表示している場合には、その最後から先頭に戻って、その先頭の設定メニューを表示することになる設定メニューを意味する。
【００６６】
ステップＳ６０７あるいはステップＳ６０８の処理後、ステップＳ６０９で、閾値ｓにｓ＝ｓ＋ｖを設定し、その後、ステップＳ６０４に戻る。
【００６７】
そして、ステップＳ６０４で、押下状態でないと判定された場合（ステップＳ６０４でＮＯ）、ステップＳ６１０に進み、押下が解除された時点での設定メニューを選択し、その選択された設定メニューによる報知設定モードとして確定する。その後、ステップＳ６１１で、選択された設定による報知設定モード（スイッチ１０３の再押下をトリガに図３のステップＳ３０３）に移行するために、押下継続時間Ｔをリセット（Ｔ＝０）とするとともに、一定期間単位での押下継続時間を監視するための閾値ｔにｒ（ｔ＝ｒ）を設定する。
【００６８】
以上の処理により、押下継続時間に応じて、周期的に切り替わって表示（提示）される設定メニューから、ユーザは意図する設定メニューを選択して、その選択した設定メニューによる報知設定モードに移行することができる。
【００６９】
ここで、図６の設定処理に応じて表示される表示部１０４の表示例と音声出力部１０５からの音の出力例を図７に示す。
【００７０】
図７（ａ）は電源がＯＮされた直後の表示部１０４の表示状態であり、図７（ｂ）は複数の種類の設定メニューの内容を周期的に切り替えて報知する場合の表示画像と出力音の遷移の一例を示している。
【００７１】
特に、図７（ｂ）では、設定メニューのメニュー名と、その設定メニューに移行したい場合の操作案内を示す文字列を表示するとともに、その設定メニューのメニュー名を音声案内している様子を示している。
【００７２】
尚、実施形態３では、複数種類の設定メニューのいずれかを選択して、その選択した設定メニューによる報知設定モードを行う構成としている。これに対して、複数種類の設定メニューの内の任意の２つ以上の設定メニューを連続的に設定したい場合も想定される。この場合は、図３のステップＳ３１０の処理後、所定時間（例えば、２秒）内に再度、電源スイッチ１０３が押下されたか否かを監視しておき、押下された場合には、再度、図６のステップＳ６０２に移行する。このような処理を行うことで、任意の２つ以上の設定メニューを連続的に設定することも可能となる。
【００７３】
以上説明したように、実施形態３によれば、１つのスイッチ操作で、複数種類の設定メニューを選択するとともに、その設定メニューによる報知設定モードで用意されている複数種類の設定値を、自身の嗜好や使用環境に即した報知設定を行うことができる。
【００７４】
＜＜実施形態４＞＞
上述の各種設定値は、使用者の特性毎（年齢や体格、着衣の種類）、更には、使用環境によって、統計的に推奨される設定値あるいはその組み合わせが存在する。
【００７５】
例えば、高齢者の場合は、音の周波数が低周波数（２．５ｋＨｚ以下）で、かつ大音量の組み合わせが好まれるという傾向がある。また、乳児の場合は、睡眠中でも検温したい場合があるという要望に合わせて、消音で、かつ振動しないというような組み合わせも想定される。
【００７６】
そこで、このような傾向や使用環境を想定した設定値の組み合わせを予めプリセットとしてメモリであるプリセット記憶部（ＲＡＭ２２６等）に用意しておく。そして、このプリセット記憶部を参照して、報知設定モードにおいてそれらのプリセットの内容を示すプリセット情報を切り替えながら周期的に使用者に提示して選択できるようにしても良い。その場合の表示例を図８に示す。図８では、乳幼児用、一般者用、高齢者用のプリセットが周期的に切り替えて表示される様子を示している。
【００７７】
尚、プリセットが選択されると、その選択されたプリセットを構成する各種設定値が、報知内容の設定として確定することは言うまでもない。
【００７８】
また、このプリセットの提示は、報知設定モードの１つとみなすことができるので、実施形態１の図３の設定処理によって実現することもできる。また、実施形態３の図６の設定処理における設定メニューの１つとすることもできる。
【００７９】
以上説明したように、実施形態４によれば、実施形態１乃至３で説明される効果に加えて、推奨される設定値の組み合わせ（プリセット）を用意することで、複数種類の好適な設定値の組み合わせを一度に選択することができる。
【図１】
0005922473.tif 000002
【図２】
0005922473.tif 000003
【図３】
0005922473.tif 000004
【図４】
0005922473.tif 000005
【図５】
0005922473.tif 000006
【図６】
0005922473.tif 000007
【図７】
0005922473.tif 000008
【図８】
0005922473.tif 000009